(57)【要約】【課題】往復式スパナを旋回しているときに、二つの顎の間にある開口からナットが脱出できない脱出防止機能付き往復式スパナを提供する。【解決手段】ハンドルと、ヘッド部と、脱出防止具と、を含み、ヘッド部は、ハンドルの一端に設けられ、第１顎と、第２顎と、二つの顎の底端の間にある延び段と、を有し、二つの顎と延び段とから駆動空間が形成され、駆動空間に六角ナットを収容可能であり、駆動空間は延び段から遠ざかった開口を有し、第１顎は、延び段に近接する第１押付面と、窪み状を呈する回転面と、第１顎先端と、を有し、第１押付面と延び段との境界に押付角が形成され、押付角に六角ナットの一つのコナーが収容され、回転面は第１押付面と第１顎先端との間に位置し、脱出防止具は、第１顎の第１顎先端に設けられ、駆動空間に延びる係止端を有し、係止端は第１位置と第２位置との間に移動可能である。【選択図】図１
2011110698.tif 000002
【特許請求の範囲】
【請求項１】
ハンドルと、ヘッド部と、脱出防止具と、を含み、
前記ヘッド部は、前記ハンドルの一端に設けられ、第１顎と、第２顎と、二つの前記顎の底端の間にある延び段と、を有し、二つの前記顎と前記延び段とから駆動空間が形成され、前記駆動空間に六角ナットを収容可能であり、前記駆動空間は前記延び段から遠ざかった開口を有し、前記第１顎は、前記延び段に近接する第１押付面と、窪み状を呈する回転面と、第１顎先端と、を有し、前記第１押付面と前記延び段との境界に押付角が形成され、前記押付角に六角ナットの一つのコナーが収容され、前記回転面は前記第１押付面と前記第１顎先端との間に位置し、前記第２顎は第２押付面を有し、前記第１顎先端は前記第２顎に向いている平面を有し、前記第１押付面と前記第２押付面との水平方向に沿う距離がｓであり、前記平面と前記第２押付面との水平方向に沿う距離がｓよりも小さくなく、
前記脱出防止具は、前記第１顎の前記第１顎先端に設けられ、前記駆動空間に延びる係止端を有し、前記係止端は第１位置と第２位置との間に移動可能であり、
前記係止端が前記第１位置にあるときには、前記係止端と前記押付角との垂直方向に沿う距離が０．５８ｓよりも大きく、前記係止端と前記第２押付面との水平方向に沿う距離がｓよりも小さく、
前記係止端が前記第２位置にあるときには、前記係止端と前記第２押付面との水平方向に沿う距離がｓよりも小さくないことを特徴とする脱出防止機能付き往復式スパナ。
【請求項２】
前記脱出防止具は、前記第１顎先端に枢着され、更に、寄り端を有し、前記第１顎と前記第１顎先端とに寄り面が設けられ、前記係止端が前記第１位置にあるときには、前記寄り端が前記寄り面に寄っていることを特徴とする、請求項１に記載の脱出防止機能付き往復式スパナ。
【請求項３】
前記第１顎には、前記第１顎先端から前記開口を遠ざかった方向に沿う摺動溝が設けられ、前記脱出防止具は、前記摺動溝を摺動可能なスライドブロックを有することを特徴とする、請求項１に記載の脱出防止機能付き往復式スパナ。
【請求項４】
前記係止端は、更に、第３位置に移動でき、前記係止端が前記第３位置にあるときには、前記係止端と前記第２押付面との水平方向に沿う距離が１．１６ｓよりも小さくないことを特徴とする、請求項３に記載の脱出防止機能付き往復式スパナ。
【請求項５】
更に、弾性具を含み、前記弾性具は前記係止端を前記第１位置に回復するためのものであることを特徴とする、請求項１乃至４の何れかに記載の脱出防止機能付き往復式スパナ。
【請求項６】
前記第１顎は、更に、摺動ロッドを有し、前記摺動ロッドは前記駆動空間に挿入可能であり、六角ナットが前記摺動ロッドに押付け可能であることを特徴とする、請求項１に記載の脱出防止機能付き往復式スパナ。
【請求項７】
前記第１押付面は、更に、少なくとも一つの噛合歯を有し、前記噛合歯はエッジが磨耗された六角ナットのコナーを噛合うためのものであることを特徴とする、請求項１に記載の脱出防止機能付き往復式スパナ。
【請求項８】
ハンドルと、ヘッド部と、脱出防止具と、を含み、
前記ヘッド部は、前記ハンドルの一端に設けられ、第１顎と、第２顎と、二つの前記顎の底端の間にある延び段と、を有し、二つの前記顎と前記延び段とから駆動空間が形成され、前記駆動空間に六角ナットを収容可能であり、前記駆動空間は前記延び段から遠ざかった開口を有し、前記第１顎は、前記延び段に近接する第１押付面と、窪み状を呈する回転面と、第１顎先端と、を有し、前記延び段は最低位置を有し、六角ナットのコナーが前記最低位置に寄り、前記回転面は前記第１押付面と前記第１顎先端との間に位置し、前記第２顎は第２押付面を有し、前記第１顎先端は前記第２顎に向いている平面を有し、前記第１押付面と前記第２押付面との水平方向に沿う距離がｓであり、前記平面と前記第２押付面との水平方向に沿う距離がｓよりも小さくなく、
前記脱出防止具は、前記第１顎の前記第１顎先端に設けられ、前記駆動空間に延びる係止端を有し、前記係止端は第１位置と第２位置との間に移動可能であり、
前記係止端が前記第１位置にあるときには、前記係止端と前記延び段の前記最低位置との垂直方向に沿う距離が０．８７ｓよりも大きく、前記係止端と前記第２押付面との水平方向に沿う距離がｓよりも小さく、
前記係止端が前記第２位置にあるときには、前記係止端と前記第２押付面との水平方向に沿う距離がｓよりも小さくないことを特徴とする脱出防止機能付き往復式スパナ。
【請求項９】
前記脱出防止具は、前記第１顎先端に枢着され、更に、寄り端を有し、前記第１顎と前記第１顎先端とに寄り面が設けられ、前記係止端が前記第１位置にあるときには、前記寄り端が前記寄り面に寄っていることを特徴とする、請求項８に記載の脱出防止機能付き往復式スパナ。
【請求項１０】
前記第１顎には、前記第１顎先端から前記開口を遠ざかった方向に沿う摺動溝が設けられ、前記脱出防止具は、前記摺動溝を摺動可能なスライドブロックを有することを特徴とする、請求項８に記載の脱出防止機能付き往復式スパナ。
【請求項１１】
前記係止端は、更に、第３位置に移動でき、前記係止端が前記第３位置にあるときには、前記係止端と前記第２押付面との水平方向に沿う距離が１．１６ｓよりも小さくないことを特徴とする、請求項１０に記載の脱出防止機能付き往復式スパナ。
【請求項１２】
更に、弾性具を含み、前記弾性具は前記係止端を前記第１位置に回復するためのものであることを特徴とする、請求項８乃至１１の何れかに記載の脱出防止機能付き往復式スパナ。
【請求項１３】
前記第１顎は、更に、摺動ロッドを有し、前記摺動ロッドは前記駆動空間に挿入可能であり、六角ナットが前記摺動ロッドに押付け可能であることを特徴とする、請求項８に記載の脱出防止機能付き往復式スパナ。
【請求項１４】
前記第１押付面は、更に、少なくとも一つの噛合歯を有し、前記噛合歯はエッジが磨耗された六角ナットのコナーを噛合うためのものであることを特徴とする、請求項８に記載の脱出防止機能付き往復式スパナ。
【発明の詳細な説明】
【技術分野】
【０００１】
本発明は、手工具に関し、特に、ナットの脱出を防止できる脱出防止機能付き往復式スパナに関するものである。
【背景技術】
【０００２】
従来の往復式スパナは、二つの顎を有し、ナットを時計方向に旋回でき、スパナを反時計方向に旋回するときに、ナットが空回るため、ナットを迅速に回転することができる。
【０００３】
しかしながら、従来の往復式スパナを旋回しているときには、二つの顎の間にある開口からナットが脱出し易い。これにより、作業性が良くなく、更に、ユーザが作業中に怪我する可能性もある。
【発明の概要】
【発明が解決しようとする課題】
【０００４】
本発明の主な目的は、往復式スパナを旋回しているときに、二つの顎の間にある開口からナットが脱出できない脱出防止機能付き往復式スパナを提供することにある。
【課題を解決するための手段】
【０００５】
本発明の脱出防止機能付き往復式スパナによると、ハンドルと、ヘッド部と、脱出防止具と、を含み、前記ヘッド部は、前記ハンドルの一端に設けられ、第１顎と、第２顎と、二つの前記顎の底端の間にある延び段と、を有し、二つの前記顎と前記延び段とから駆動空間が形成され、前記駆動空間に六角ナットを収容可能であり、前記駆動空間は前記延び段から遠ざかった開口を有し、前記第１顎は、前記延び段に近接する第１押付面と、窪み状を呈する回転面と、第１顎先端と、を有し、前記第１押付面と前記延び段との境界に押付角が形成され、前記押付角に六角ナットの一つのコナーが収容され、前記回転面は前記第１押付面と前記第１顎先端との間に位置し、前記第２顎は第２押付面を有し、前記第１顎先端は前記第２顎に向いている平面を有し、前記第１押付面と前記第２押付面との水平方向に沿う距離がｓであり、前記平面と前記第２押付面との水平方向に沿う距離がｓよりも小さくなく、前記脱出防止具は、前記第１顎の前記第１顎先端に設けられ、前記駆動空間に延びる係止端を有し、前記係止端は第１位置と第２位置との間に移動可能であり、前記係止端が前記第１位置にあるときには、前記係止端と前記押付角との垂直方向に沿う距離が０．５８ｓよりも大きく、前記係止端と前記第２押付面との水平方向に沿う距離がｓよりも小さく、前記係止端が前記第２位置にあるときには、前記係止端と前記第２押付面との水平方向に沿う距離がｓよりも小さくないことを特徴とする。
【０００６】
本発明の脱出防止機能付き往復式スパナによると、前記脱出防止具は、前記第１顎先端に枢着され、更に、寄り端を有し、前記第１顎と前記第１顎先端とに寄り面が設けられ、前記係止端が前記第１位置にあるときには、前記寄り端が前記寄り面に寄っていることを特徴とする。
【０００７】
本発明の脱出防止機能付き往復式スパナによると、前記第１顎には、前記第１顎先端から前記開口を遠ざかった方向に沿う摺動溝が設けられ、前記脱出防止具は、前記摺動溝を摺動可能なスライドブロックを有することを特徴とする。
【０００８】
本発明の脱出防止機能付き往復式スパナによると、前記係止端は、更に、第３位置に移動でき、前記係止端が前記第３位置にあるときには、前記係止端と前記第２押付面との水平方向に沿う距離が１．１６ｓよりも小さくないことを特徴とする。
【０００９】
本発明の脱出防止機能付き往復式スパナによると、更に、弾性具を含み、前記弾性具は前記係止端を前記第１位置に回復するためのものであることを特徴とする。
【００１０】
本発明の脱出防止機能付き往復式スパナによると、前記第１顎は、更に、摺動ロッドを有し、前記摺動ロッドは前記駆動空間に挿入可能であり、六角ナットが前記摺動ロッドに押付け可能であることを特徴とする。
【００１１】
本発明の脱出防止機能付き往復式スパナによると、前記第１押付面は、更に、少なくとも一つの噛合歯を有し、前記噛合歯はエッジが磨耗された六角ナットのコナーを噛合うためのものであることを特徴とする。
【００１２】
本発明の脱出防止機能付き往復式スパナによると、ハンドルと、ヘッド部と、脱出防止具と、を含み、前記ヘッド部は、前記ハンドルの一端に設けられ、第１顎と、第２顎と、二つの前記顎の底端の間にある延び段と、を有し、二つの前記顎と前記延び段とから駆動空間が形成され、前記駆動空間に六角ナットを収容可能であり、前記駆動空間は前記延び段から遠ざかった開口を有し、前記第１顎は、前記延び段に近接する第１押付面と、窪み状を呈する回転面と、第１顎先端と、を有し、前記延び段は最低位置を有し、六角ナットのコナーが前記最低位置に寄り、前記回転面は前記第１押付面と前記第１顎先端との間に位置し、前記第２顎は第２押付面を有し、前記第１顎先端は前記第２顎に向いている平面を有し、前記第１押付面と前記第２押付面との水平方向に沿う距離がｓであり、前記平面と前記第２押付面との水平方向に沿う距離がｓよりも小さくなく、前記脱出防止具は、前記第１顎の前記第１顎先端に設けられ、前記駆動空間に延びる係止端を有し、前記係止端は第１位置と第２位置との間に移動可能であり、前記係止端が前記第１位置にあるときには、前記係止端と前記延び段の前記最低位置との垂直方向に沿う距離が０．８７ｓよりも大きく、前記係止端と前記第２押付面との水平方向に沿う距離がｓよりも小さく、前記係止端が前記第２位置にあるときには、前記係止端と前記第２押付面との水平方向に沿う距離がｓよりも小さくないことを特徴とする。
【００１３】
本発明の脱出防止機能付き往復式スパナによると、前記脱出防止具は、前記第１顎先端に枢着され、更に、寄り端を有し、前記第１顎と前記第１顎先端とに寄り面が設けられ、前記係止端が前記第１位置にあるときには、前記寄り端が前記寄り面に寄っていることを特徴とする。
【００１４】
本発明の脱出防止機能付き往復式スパナによると、前記第１顎には、前記第１顎先端から前記開口を遠ざかった方向に沿う摺動溝が設けられ、前記脱出防止具は、前記摺動溝を摺動可能なスライドブロックを有することを特徴とする。
【００１５】
本発明の脱出防止機能付き往復式スパナによると、前記係止端は、更に、第３位置に移動でき、前記係止端が前記第３位置にあるときには、前記係止端と前記第２押付面との水平方向に沿う距離が１．１６ｓよりも小さくないことを特徴とする。
【００１６】
本発明の脱出防止機能付き往復式スパナによると、更に、弾性具を含み、前記弾性具は前記係止端を前記第１位置に回復するためのものであることを特徴とする。
【００１７】
本発明の脱出防止機能付き往復式スパナによると、前記第１顎は、更に、摺動ロッドを有し、前記摺動ロッドは前記駆動空間に挿入可能であり、六角ナットが前記摺動ロッドに押付け可能であることを特徴とする。
【００１８】
本発明の脱出防止機能付き往復式スパナによると、前記第１押付面は、更に、少なくとも一つの噛合歯を有し、前記噛合歯はエッジが磨耗された六角ナットのコナーを噛合うためのものであることを特徴とする。
【発明の効果】
【００１９】
本発明の脱出防止機能付き往復式スパナによれば、往復式スパナを旋回しているときに、二つの顎の間にある開口からナットが脱出できないという効果を有する。
【図面の簡単な説明】
【００２０】
【図１】本発明の実施例１の分解斜視図である。
【図２】本発明の実施例１の組合済み状態の斜視図である。
【図３】本発明の実施例１の係止端が第２位置にあるときの模式図である。
【図４】本発明の実施例１の係止端が第１位置にあるときの模式図である。
【図５Ａ】本発明の実施例１の係止端により六角ナットの脱出を防止できることを示す模式図である。
【図５Ｂ】本発明の別の実施例の模式図である。
【図５Ｃ】本発明の更に別の実施例の模式図である。
【図５Ｄ】図５Ｃの一部の拡大図である。
【図６】本発明の実施例２の係止端が第１位置にあるときの模式図である。
【図７】本発明の実施例２の係止端が第２位置にあるときの模式図である。
【図８】本発明の実施例２の係止端が第３位置にあるときの模式図である。
【図９】本発明の実施例３の係止端が第１位置にあるときの模式図である。
【図１０】本発明の実施例３の係止端が第２位置にあるときの模式図である。
【発明を実施するための形態】
【００２１】
以下、本発明の実施の形態を図面に基づいて説明する。
【実施例１】
【００２２】
まず、図１乃至図４を参照する。本発明の実施例１の脱出防止機能付き往復式スパナは、ハンドル１０と、ヘッド部２０と、脱出防止具３０と、弾性具４０と、を含む。
【００２３】
ハンドル１０は、少なくとも一端にヘッド部２０が配される。ヘッド部２０は、第１顎２１と、第２顎２２と、二つの顎２１、２２の底端の間にある延び段２３と、を有する。二つの顎と延び段２３とから駆動空間２４が形成され、駆動空間２４に六角ナット５を収容可能である。駆動空間２４は延び段２３から遠ざかった開口２４１を有する。第１顎２１は、延び段２３に近接する第１押付面２１１と、窪み状を呈する回転面２１２と、第１顎先端２１３と、を有する。第１押付面２１１と延び段２３との境界に押付角２１４が形成され、押付角２１４に六角ナット５の一つのコナーが収容される。延び段２３は最低位置２３１を有し、六角ナット５の別のコナーが最低位置２３に寄る。本実施例では、第１顎先端２１３は一対の支アーム２１５を含む。一対の支アーム２１５の間に剖開溝２１６が形成され、剖開溝２１６の底面が寄り面２１７である。第１顎先端２１３には、更に、収容穴２１８が設けられる。回転面２１２は、第１押付面２１１と第１顎先端２１３との間に位置し、円弧凹面であることが好ましい。第１顎先端２１３は第２押付面２２１に向いている平面２１９を有する。第２顎２２は第２押付面２２１を有する。第１押付面２１１と第２押付面２２１との水平方向に沿う距離がｓであり、平面２１９と第２押付面２２１との水平方向に沿う距離がｓよりも小さくない。回転面２１２と第２押付面２２１との水平方向に沿う最大距離は１．１６ｓよりも小さくない。六角ナット５の対辺長さはｓよりもやや小さい。
【００２４】
このように、六角ナット５は開口２４１から駆動空間２４に進入できる。本発明の往復式スパナを時計方向に旋回するときには、六角ナット５が第１及び第２押付面２１１、２２１に挟まれて駆動される。なお、本発明の往復式スパナを反時計方向に旋回するときには、六角ナット５の一つのコナーが回転面２１２に沿って回転し、これにより、六角ナット５が空回り、ユーザは六角ナット５を連続に時計方向に旋回できる。
【００２５】
脱出防止具３０は、第１顎２１の第１顎先端２１３に設けられる。本実施例では、脱出防止具３０は、第１顎先端２１３の二つの支アーム２１５の間に枢着され、軸部３５を中心として第１顎先端２１３に対して旋回できる。脱出防止具３０は、駆動空間２４に延びる係止端３１を有し、更に、寄り端３２を有する。係止端３１は第１位置と第２位置との間に移動可能である。係止端３１が前記第１位置にあるときには、寄り端３２が寄り面２１７により、これにより、係止端３１が外へ旋回できなくなる。
【００２６】
弾性具４０は、収容穴２１８に配され、係止端３１を前記第１位置に回復するためのものである。
【００２７】
図３に示すように、開口２４１から駆動空間２４に六角ナット５を進入するときには、六角ナット５が脱出防止具３０を押付けて、係止端３１が前記第２位置に旋回し、このとき、係止端３１と第２押付面２２１との水平方向に沿う距離がｓよりも小さくなく、これにより、六角ナット５は駆動空間２４に順調に進入できる。このとき、係止端３１が弾性具４０に付勢されて前記第１位置に戻る。図４に示すように、このとき、係止端３１と押付角２１４との垂直方向に沿う距離が０．５８ｓよりもやや大きく、係止端３１と延び段２３の最低位置２３１との垂直方向に沿う距離が０．８７ｓよりもやや大きく、且つ係止端３１と第２押付面２２１との水平方向に沿う距離がｓよりも小さい。
【００２８】
図５Ａに示すように、六角ナット５を時計方向に回転するときには、六角ナット５が偶々開口２４１へ脱出する傾向がある。係止端３１と第２押付面２２１との水平方向に沿う距離がｓよりも小さく、且つ寄り端３２が寄り面２１７に寄っているため、六角ナット５が係止端３１に止められて脱出不能になる。なお、六角ナット５を反時計方向に回転するときには、六角ナット５の一つのコナーにより係止端３１が前記第１位置から第２位置に移動され、これにより、六角ナット５が空回る。
【００２９】
本発明の別の実施例では、図５Ｂに示すように、延び段２３が円弧凹段であり、延び段２３と回転面２１２との間には、平面状を呈する第１押付面２１１が形成される。図５Ｃ及び図５Ｄに示すように、第１押付面２１１の上の回転面２１２に近接する箇所では、少なくとも一つの噛合歯２１１´″が形成され、噛合歯２１１´″はエッジが磨耗された六角ナットのコナーを噛合うためのものである。
【実施例２】
【００３０】
図６乃至図８を参照する。本発明の実施例２では、第１顎２１には、第１顎先端２１３から開口２４１を遠ざかった方向に沿う摺動溝２５が設けられる。脱出防止具３０は、摺動溝２５を摺動可能なスライドブロック３３を有する。弾性具４０は、摺動溝２５内に配され、スライドブロック３３に押付けている。これにより、図６及び図７に示すように、係止端３１は摺動溝２５の延び方向に沿って摺動できるように前記第１及び第２位置の間に往復できる。特に、係止端３１が前記第１位置にあるときには、スライドブロック３３が摺動溝２５の上端に位置し、これにより、係止端３１が外へ移動不能になる。六角ナット５の反時計方向への空回りを便利するために、更に、第３位置に係止端３１を移動する。図８に示すように、係止端３１が前記第３位置にあるときには、係止端３１と第２押付面２２１との水平方向に沿う距離が１．１６ｓよりも小さくない。そうすると、六角ナット５の反時計方向への空回りが便利になる。
【実施例３】
【００３１】
図９及び図１０を参照する。本発明の実施例３では、第１顎２１には、更に、摺動ロッド２６が設けられる。摺動ロッド２６は駆動空間２４に挿入可能であり、六角ナット５が摺動ロッド２６に押付け可能である。具体的には、本実施例では、第１顎２１の第１押付面２１１は、第１顎２１に一体に設けられるメイン押付面２１１´と、摺動ロッド２６に設けられる補助押付面２１１″と、を含む。摺動ロッド２６が駆動空間２４に突出するときには、メイン押付面２１１´と補助押付面２１１″が同じ平面にある。
【００３２】
なお、本発明は前記実施の形態に限定されるものではなく、本発明の趣旨に基づいて種々変形させることが可能であり、それらを本発明の範囲から排除するものではない。
【産業上の利用可能性】
【００３３】
本発明は、スパナに適用することができる。
【符号の説明】
【００３４】
５：六角ナット
１０：ハンドル
２０：ヘッド部
２１：第１顎
２２：第２顎
２３：延び段
２４：駆動空間
２５：摺動溝
２６：摺動ロッド
３０：脱出防止具
３１：係止端
３２：寄り端
３３：スライドブロック
３５：軸部
４０：弾性具
２１１：第１押付面
２１１´：メイン押付面
２１１″：補助押付面
２１１´″：噛合歯
２１２：回転面
２１３：第１顎先端
２１４：押付角
２１５：支アーム
２１６：剖開溝
２１７：寄り面
２１８：収容穴
２１９：平面
２２１：第２押付面
２３１：最低位置
２４１：開口
【図１】
2011110698.tif 000003
【図２】
2011110698.tif 000004
【図３】
2011110698.tif 000005
【図４】
2011110698.tif 000006
【図５Ａ】
2011110698.tif 000007
【図５Ｂ】
2011110698.tif 000008
【図５Ｃ】
2011110698.tif 000009
【図５Ｄ】
2011110698.tif 000010
【図６】
2011110698.tif 000011
【図７】
2011110698.tif 000012
【図８】
2011110698.tif 000013
【図９】
2011110698.tif 000014
【図１０】
2011110698.tif 000015